(57)【特許請求の範囲】
【請求項１】
通信ケーブルを介して接続先機器に接続する画像出力装置において、
画像データを蓄積するための蓄積手段と、
前記画像データを基に生成された前記接続先機器の表示部に表示する所定解像度の画像信号を前記接続先機器に出力する画像出力手段と、
前記通信ケーブルを介してネットワークに接続し、前記画像データを前記ネットワークに出力するネットワーク通信手段と、
前記画像出力手段による出力と前記ネットワーク通信手段による出力とを同時に行うことができるコネクタと、
前記画像出力手段及び前記ネットワーク通信手段のいずれか一方の有効または無効を設定可能な設定手段と、
前記コネクタへの前記通信ケーブルの接続を検出すると、前記設定手段の設定内容を調べ、前記ネットワーク通信手段の有効または無効を設定した場合には前記ネットワーク通信手段が有効であれば、前記ネットワーク通信手段に前記ネットワークへの接続を行わせると共に、前記画像出力手段に前記接続先機器の表示部に表示する所定解像度の画像信号の出力は行わせず、前記画像出力手段の有効または無効を設定した場合には前記画像出力手段が無効であれば、前記ネットワーク通信手段に前記ネットワークへの接続を行わせると共に、前記画像出力手段に前記接続先機器の表示部に表示する所定解像度の画像信号の出力は行わせない制御手段と
を備えたことを特徴とする画像出力装置。
【請求項２】
請求項１に記載の画像出力装置において、
前記制御手段は、前記コネクタへの通信ケーブルの接続を検出すると、前記ネットワーク通信手段が有効または前記画像出力手段が無効でありかつネットワーク接続可能な状態にある接続許可条件を満たすか否かを判断し、当該接続許可条件を満たした場合に、前記ネットワーク通信手段にネットワーク接続を行わせることを特徴とする画像出力装置。
【請求項３】
請求項１又は２に記載の画像出力装置において、
前記制御手段は、前記コネクタへの通信ケーブルの接続を検出すると、前記設定手段の
設定内容を調べ、前記画像出力手段が有効または前記ネットワーク通信手段が無効であれば、前記コネクタに接続された前記通信ケーブルを介して前記接続先機器から取得した前記接続先機器の表示部の解像度情報に応じた前記所定解像度の画像信号を生成して前記画像出力手段に出力することを特徴とする画像出力装置。
【請求項４】
請求項３に記載の画像出力装置において、
前記制御手段は、前記コネクタに接続された前記通信ケーブルを介して接続先機器を制御可能な遠隔制御部を備え、前記画像出力手段に画像信号の出力を行わせる場合は、前記遠隔制御部に前記接続先機器の表示部に前記画像信号に基づく画像を表示させるべく前記接続先機器の入力切換えを行わせることを特徴とする画像出力装置。
【請求項５】
請求項４に記載の画像出力装置において、
前記制御手段は、前記ネットワーク通信手段にネットワーク接続を行わせる場合は、前記遠隔制御部による入力切換え制御を無効にすることを特徴とする画像出力装置。
【請求項６】
請求項３乃至５のうちいずれか一項に記載の画像出力装置において、
前記画像出力装置は、前記画像データに基づく画像を表示可能な表示手段をさらに備えた画像再生装置であって、
前記制御手段は、前記ネットワーク通信手段にネットワーク接続を行わせる場合に、前記画像データを基に前記表示手段の解像度に応じた解像度の画像信号を生成して前記表示手段に出力することを特徴とする画像出力装置。
【請求項７】
請求項１乃至６のうちいずれか一項に記載の画像出力装置において、
前記ネットワーク通信手段が有効なとき、前記ネットワーク通信手段は、前記ネットワーク上の機器と接続し、前記機器と前記画像データの交換を行うことを特徴とする画像出力装置。
【請求項８】
請求項７に記載の画像出力装置において、
当該画像出力装置及び前記ネットワーク上の機器はＤＬＮＡ仕様に準拠していることを特徴とする画像出力装置。
【発明の詳細な説明】
【技術分野】
【０００１】
本発明は、例えばＨＤＭＩ（High-Definition Multimedia Interface）対応等の通信ケーブルの接続を検出すると、画像信号を接続先機器（画像表示装置）へ出力する画像出力装置に関する。
【背景技術】
【０００２】
近年、デジタルカメラ、ビデオカメラ、ゲーム機、デジタルフォトフレーム、ＤＶＤやブルーレイ（登録商標）等の画像再生装置（画像出力装置）には、テレビジョン等の画像表示装置（外部機器）へ画像（映像）（非圧縮のデータストリーム）及び音声を出力させるＨＤＭＩコネクタが設けられている。
【０００３】
例えば特許文献１には、近距離通信手段を備え、通信エリア内ではサーバーから画像データをダウンロードして画像を表示し、通信エリア外では記憶部から画像データを読み出して画像を表示することで、通信時と非通信時とで表示させる画像を切り換える機能を有するデジタルカメラが開示されている。
【０００４】
また、特許文献２には、ＨＤＭＩを備えたテレビ装置（画像表示装置）が開示されている。このテレビ装置は、ＣＥＣ（Consumer Electronic Control：民生機器制御）の規格に準拠したＨＤＭＩ入力端子を備え、ＣＥＣコマンドを使用して、ＡＶアンプが備えるＨＤＭＩ入力端子のポート数を取得し、そのポート数を使用してテレビ装置に表示する入力切替メニューの入力数を拡張する機能を備えていた。なお、画像出力装置とＨＤＭＩケーブルを介して接続された接続先機器を、ＣＥＣコマンドを使用して制御して、接続先機器の入力を切り換えてその表示部の表示内容を、画像出力装置側の画像に切り換える画像出力装置も知られている。
【先行技術文献】
【特許文献】
【０００５】
【特許文献１】特開２００７−３３６４０３号公報
【特許文献２】特開２００８−３４９７６号公報
【発明の概要】
【発明が解決しようとする課題】
【０００６】
ところで、次世代のＨＤＭＩとして、ネットワーク機能を備えたものが策定されつつあり、このような次世代のＨＤＭＩを採用すれば、映像及び音声の伝送とネットワーク接続とを、１本のＨＤＭＩケーブルを共用して行うことが可能になる。
【０００７】
ところで、画像出力装置が例えばテレビ装置とＨＤＭＩ接続されると、画像出力装置からのＣＥＣコマンドを使用した制御により接続先のテレビ装置の入力切換えが行われ、テレビ装置側の画像が、画像出力装置側の画像に切り換えられる。しかし、例えばユーザーがＨＤＭＩ対応のテレビ装置にゲーム機を接続し、テレビ装置の画面にゲームの映像を表示させていたときに、ネットワーク接続を目的としてテレビ装置に画像出力装置をＨＤＭＩ接続した場合、テレビ装置の画面が画像出力装置側の画像（例えばメニュー画像）に切り換わってしまう問題の発生が心配される。この場合、ユーザーは、テレビ装置に付随のリモコンを操作するなどしてテレビ装置の入力を切り換えなければならず、またゲーム中であればゲームが中断されるなどの問題があった。
【０００８】
本発明は上記問題点に鑑みてなされたものであって、その目的は、ネットワーク接続を意図して画像出力装置のコネクタに通信ケーブルを接続したにも関わらず、接続先機器の表示内容が画像出力装置側の画像に切り換わることを回避できる画像出力装置を提供することにある。
【課題を解決するための手段】
【０００９】
上記問題点を解決するために、本発明は、通信ケーブルを介して接続先機器に接続する画像出力装置において、画像データを蓄積するための蓄積手段と、前記画像データを基に生成された前記接続先機器の表示部に表示する所定解像度の画像信号を前記接続先機器に出力する画像出力手段と、前記通信ケーブルを介してネットワークに接続し、前記画像データを前記ネットワークに出力するネットワーク通信手段と、前記画像出力手段による出力と前記ネットワーク通信手段による出力とを同時に行うことができるコネクタと、前記画像出力手段及び前記ネットワーク通信手段のいずれか一方の有効または無効を設定可能な設定手段と、前記コネクタへの前記通信ケーブルの接続を検出すると、前記設定手段の設定内容を調べ、前記ネットワーク通信手段の有効または無効を設定した場合には前記ネットワーク通信手段が有効であれば、前記ネットワーク通信手段に前記ネットワークへの接続を行わせると共に、前記画像出力手段に前記接続先機器の表示部に表示する所定解像度の画像信号の出力は行わせず、前記画像出力手段の有効または無効を設定した場合には前記画像出力手段が無効であれば、前記ネットワーク通信手段に前記ネットワークへの接続を行わせると共に、前記画像出力手段に前記接続先機器の表示部に表示する所定解像度
の画像信号の出力は行わせない制御手段とを備えたことを要旨とする。
【００１０】
この発明によれば、ネットワーク接続を行いたい場合は、設定手段によりネットワーク通信手段を有効にする設定を予め行っておき、その後、通信ケーブルをコネクタに接続して外部機器と接続する。制御手段は、通信ケーブルがコネクタに接続されたこと（つまり外部機器との接続）を検出すると、設定手段の設定内容を調べ、ネットワーク通信手段が有効であれば、ネットワーク通信手段にネットワークへの接続を行わせると共に、画像出力手段に画像信号の出力は行わせない。従って、ユーザーがネットワーク接続を意図して画像出力装置のコネクタに通信ケーブルを接続したにも関わらず、接続先機器の表示内容が画像出力装置側の画像に切り換わることを回避できる。
【００１１】
本発明の画像出力装置では、前記制御手段は、前記コネクタへの通信ケーブルの接続を検出すると、前記ネットワーク通信手段が有効または前記画像出力手段が無効でありかつネットワーク接続可能な状態にある接続許可条件を満たすか否かを判断し、当該接続許可条件を満たした場合に、前記ネットワーク通信手段にネットワーク接続を行わせることが好ましい。
【００１２】
この発明によれば、制御手段は、コネクタへの通信ケーブルの接続を検出すると、ネットワーク通信手段が有効でありかつネットワーク接続可能な状態にある接続許可条件を満たすか否かを判断する。そして、この接続許可条件を満たした場合に、制御手段は、前記ネットワーク通信手段にネットワーク接続を行わせる。よって、ネットワーク接続可能な状態にあることを確認してから、ネットワーク接続を開始するので、ネットワーク接続を行ってみて接続エラーになる頻度を低減できる。
【００１３】
本発明の画像出力装置では、前記制御手段は、前記コネクタへの通信ケーブルの接続を検出すると、前記設定手段の設定内容を調べ、前記画像出力手段が有効または前記ネットワーク通信手段が無効であれば、前記コネクタに接続された前記通信ケーブルを介して前記接続先機器から取得した前記接続先機器の表示部の解像度情報に応じた前記所定解像度の画像信号を生成して前記画像出力手段に出力することが好ましい。
【００１４】
この発明によれば、外部機器の表示部に画像出力装置側の画像を表示させたい場合、画像出力手段を有効にする設定とした後、通信ケーブルをコネクタに接続することにより画像出力装置を外部機器と接続する。制御手段は、コネクタへの通信ケーブルの接続（つまり外部機器の接続）を検出すると、設定内容を調べ、画像出力手段が有効の設定であれば、通信ケーブルを介した通信で接続先機器から取得した解像度情報に応じた所定解像度の画像信号を生成して画像出力手段に与え、画像出力手段に画像信号の出力を行わせる。従って、画像出力装置側の画像の接続先機器側への表示を意図してコネクタへ通信ケーブルを接続した場合は、その意図したとおり、接続先機器の表示部に画像出力装置側の画像を表示させることができる。
【００１５】
本発明の画像出力装置では、前記制御手段は、前記コネクタに接続された前記通信ケーブルを介して接続先機器を制御可能な遠隔制御部を備え、前記画像出力手段に画像信号の出力を行わせる場合は、前記遠隔制御部に前記接続先機器の表示部に前記画像信号に基づく画像を表示させるべく前記接続先機器の入力切換えを行わせることが好ましい。
【００１６】
この発明によれば、画像出力手段に画像信号の出力を行わせる場合は、制御手段が遠隔制御部に接続先機器の入力切換えを行わせる。この入力切り換えの結果、接続先機器の表示部に画像出力装置からの画像信号に基づく画像が表示される。このため、接続先機器の表示部に画像出力装置側の画像を表示させるために、ユーザーがわざわざ接続先機器の入力切り換え操作を行う必要がない。
【００１７】
本発明の画像出力装置では、前記制御手段は、前記ネットワーク通信手段にネットワーク接続を行わせる場合は、前記遠隔制御部による入力切換え制御を無効にすることが好ましい。
【００１８】
この発明によれば、ネットワーク通信手段がネットワーク接続を行う場合は、遠隔制御部による入力切換え制御が無効にされるので、ユーザーがネットワーク接続を意図して画像出力装置を通信ケーブルを介して外部機器に接続した際に、その接続先機器（外部機器）が不要に入力切り換えされ、接続先機器側の画像が画像出力装置側の画像に切り換わってしまう事態を回避できる。
【００１９】
本発明では、前記画像出力装置は、前記画像データに基づく画像を表示可能な表示手段をさらに備えた画像再生装置であって、前記制御手段は、前記ネットワーク通信手段にネットワーク接続を行わせる場合に、前記画像データを基に前記表示手段の解像度に応じた解像度の画像信号を生成して前記表示手段に出力することが好ましい。
【００２０】
この発明によれば、制御手段は、画像出力手段に画像信号を出力させる際は、コネクタ
に接続された通信ケーブルを介して接続先機器から当該接続先機器の表示部の解像度情報を取得し、画像データを基にその解像度情報に応じた第１解像度の画像信号を生成して画像出力手段へ出力する。その結果、接続先機器の表示部の解像度に応じた第１解像度で画像出力装置側の画像を接続先機器の表示部に表示させることができる。また、制御手段は、ネットワーク通信手段にネットワーク接続を行わせる場合は、画像データを基に表示手段の解像度に応じた第２解像度の画像信号を生成して表示手段に出力する。よって、ユーザーがネットワーク接続を意図して画像出力装置を通信ケーブルを介して外部機器に接続した場合は、画像出力装置（画像再生装置）側の表示手段の画像は消えることなくそのまま表示される。
本発明の画像出力装置では、前記ネットワーク通信手段が有効なとき、前記ネットワーク通信手段は、前記ネットワーク上の機器と接続し、前記機器と前記画像データの交換を行うことが好ましい。
本発明の画像出力装置では、当該画像出力装置及び前記ネットワーク上の機器はＤＬＮＡ仕様に準拠していることが好ましい。
【図面の簡単な説明】
【００２１】
【図１】一実施形態における画像出力システムを示す斜視図。
【図２】電子カメラの設定メニューを示す模式正面図。
【図３】電子カメラの電気的構成を示すブロック図。
【図４】ＨＤＭＩ制御処理を示すフローチャート。
【発明を実施するための形態】
【００２２】
以下、本発明の画像出力装置を電子カメラ（デジタルカメラ）に具体化した一実施形態を、図１〜図４に基づいて説明する。図１は、画像出力システムを示す。
図１に示すように、画像出力システム１１は、画像出力装置（画像再生装置）としての電子カメラ１２と、外部機器（画像表示装置）としてのテレビ装置１３（高品位テレビ装置（ＨＤＴＶ））とを備え、電子カメラ１２とテレビ装置１３は通信ケーブルとしてのＨＤＭＩケーブル１４を介してＨＤＭＩ（High-Definition Multimedia Interface：高精細マルチメディア・インターフェース）接続することが可能となっている。テレビ装置１３は表示部１５（表示画面）を備え、付属のリモコン１６を操作することで、表示部１５に放映されるテレビ番組のチャンネルの切り換え、及び複数の入力部（入力コネクタ）のうち表示部１５に表示させるべき画像の画像信号（ビデオストリーム）／音声信号（オーディオストリーム）を入力させるための１つに切り換える入力切り換えなどが可能となっている。なお、電子カメラ１２は動画撮影機能を有し、動画撮影時には画像データと共に音声データも生成する。
【００２３】
ＨＤＭＩケーブル１４は、ホットプラグ用の信号線、映像信号線、音声信号線、ＣＥＣ（Consumer Electronic Control：民生機器制御）用の制御線などが含まれている。このため、ＨＤＭＩケーブル１４を介して接続された２つの電子機器（ソース機器とシンク機器）間では、１本のケーブルを介して画像と音声とを伝送することが可能となっている。電子カメラ１２がテレビ装置１３とＨＤＭＩ接続された状態では、電子カメラ１２からテレビ装置１３へ１本のＨＤＭＩケーブル１４を通じて画像信号（ビデオストリーム）及び音声信号（オーディオストリーム）を出力（転送）して、電子カメラ１２側の画像をテレビ装置１３側の表示部１５に表示させることが可能になる他、１つのリモコン１６のみで電子カメラ１２とテレビ装置１３の操作を行うことも可能になる。
【００２４】
例えば電子カメラ１２のモニタ２０ａに表示されるべきメニュー画像や再生画像などもテレビ装置１３の表示部１５に表示させることが可能である。この場合、電子カメラ１２側のモニタ２０ａに表示されるときの低解像度（第２解像度）よりも高解像度（第１解像度）のメニュー画像や再生画像をテレビ装置１３の表示部１５に表示させることが可能である。なお、本実施形態では、画像表示装置の一例としてテレビ装置１３を挙げたが、ＨＤＭＩ通信規格に対応した画像表示装置であれば足りる。画像表示装置としては、テレビ装置１３以外に、例えばＰＤＡ（Personal Digital Assistant）や携帯電話、携帯用ゲーム機、ＡＶ機器などの表示部を備えた機器が挙げられる。
【００２５】
図１に示す電子カメラ１２は、略直方体形状をなすカメラ本体１７と、カメラ本体の前面に設けられた不図示のレンズユニットとを備えている。カメラ本体１７の上面右端部には、電子カメラ１２に撮像動作を開始させるときにユーザー（撮像者）により押し下げ操作されるレリーズボタン１８と、レリーズボタン１８を中央部に配置した回動操作式の電源スイッチ１９とが設けられている。また、図１に示すように、カメラ本体１７の背面側（図１では手前面側）には、モニタ２０ａを有する内蔵表示装置２０が設けられている。内蔵表示装置２０は、例えば液晶表示装置（Liquid Crystal Display）よりなる。また、カメラ本体１７には、モニタ２０ａに表示されるメニュー画面などで所望の項目を選択操作するための選択スイッチ２１（マルチセレクタ）をはじめとする各種操作を行うための操作部２２が設けられている。操作部２２には、前述の電源スイッチ１９及び選択スイッチ２１以外に、画像再生時に操作される再生ボタンや、メニュー画面を表示させる際に操作されるメニューボタン等が含まれる。
【００２６】
カメラ本体１７の一側面部にはＨＤＭＩコネクタ２３（雌コネクタ）（図３参照）が設けられている。このＨＤＭＩコネクタ２３にＨＤＭＩケーブル１４の一端部側の不図示のＨＤＭＩコネクタ（雄コネクタ）を接続（挿入）すると共に、その他端部側の不図示のＨＤＭＩコネクタ（雄コネクタ）をテレビ装置１３側の不図示のＨＤＭＩコネクタ（雌コネクタ）に接続（挿入）することにより、電子カメラ１２とテレビ装置１３はＨＤＭＩ接続されている。
【００２７】
電子カメラ１２は、シンク機器であるテレビ装置１３へのＣＥＣによるリモート制御（遠隔制御）の許可／非許可を選択設定可能な設定機能を有している。一方、テレビ装置１３は、ソース機器である電子カメラ１２側からＣＥＣによるリモート制御を受けられるようにＣＥＣをサポートしており、ソース機器からのＣＥＣの許可／非許可を選択設定可能な設定機能を有している。ソース機器である電子カメラ１２がシンク機器であるテレビ装置１３をＣＥＣで制御するためには、電子カメラ１２がテレビ装置１３へのＣＥＣ制御を許可する設定がなされており、かつテレビ装置１３がＣＥＣをサポートしていて電子カメラ１２からのＣＥＣ制御を許可する設定がなされているＣＥＣ許可条件を満たす必要がある。本実施形態では、ソース機器とシンク機器がこのＣＥＣ許可条件を満たすことをもって、ＣＥＣサポートされているとみなす。このＣＥＣ許可条件を満たす場合、電子カメラ１２は、ＣＥＣ機能により、テレビ装置１３へＨＤＭＩケーブル１４を通じて制御信号を送ることで、テレビ装置１３側の入力切り換えを含む各種制御をリモート制御で行うことが可能になる。
【００２８】
また、本実施形態の電子カメラ１２が備えるＨＤＭＩは、画像・音声伝送機能（以下、本明細書では高解像度画像信号（高解像度ビデオストリーム）を出力可能な点に重きをおき「高解像度画像出力機能」と呼ぶ。）及びＣＥＣ機能の他に、ネットワーク接続機能を有している。このＨＤＭＩでは、高解像度画像出力機能とネットワーク接続機能は共に、ＨＤＭＩコネクタ２３に接続された一本のＨＤＭＩケーブル１４を用いて実現される機能であるため、電子カメラ１２は、これら二機能のうちユーザーが使用したい一方の機能を選択設定可能な設定機能を有している。本実施形態では、この設定機能は、ネットワーク接続機能の有効／無効を選択設定する設定機能となっている。ネットワーク接続機能を無効に設定すれば、高解像度画像出力機能が有効になり、一方、ネットワーク接続機能を有効に設定すれば、ネットワーク接続機能が有効になるようになっている。
【００２９】
図２は、ネットワーク接続機能の有効／無効の設定、及びリモート制御機能の許可／非許可の設定を行うための設定メニューが表示された電子カメラのモニタ画面を示す。操作部２２のうちのメニューボタンを操作して、電子カメラ１２のモニタ２０ａに図２に示す設定メニューを表示させ、上下左右を含む複数方向の選択が可能な選択スイッチ２１を操作して所望の設定項目を選択する。この際、ネットワーク接続機能の有効／無効の設定を行う場合は、図２に示す設定メニューにおいて「ＤＬＮＡ（Digital Living Network Alliance）モード」の設定項目を選択する。図２に示すように、「ＤＬＮＡモード」の設定項目には、「設定」と「非設定」の２つの選択肢が用意されている。そして、ネットワーク接続機能を有効にする場合は「ＤＬＮＡモード」の設定項目で図２に示すように「設定」を選択し、ネットワーク接続機能を無効にする場合は「非設定」を選択する。選択を終えると、決定スイッチ２５を押下して、その設定内容を確定する。
【００３０】
本実施形態では、「ＤＬＮＡモード」の設定／非設定の選択設定により、ネットワーク接続機能と高解像度画像出力機能とのうちいずれか一方を有効にする選択設定が可能になっている。「ＤＬＮＡモード」が「設定」の場合は、ネットワーク接続機能が有効になると共に高解像度画像出力機能が無効になる。一方、「ＤＬＮＡモード」が「非設定」の場合は、ネットワーク接続機能が無効になると共に高解像度画像出力機能が有効になる。
【００３１】
ここで、ＤＬＮＡモードとは、ホーム・ネットワークでデジタルＡＶ機器同士やパソコンを相互に接続し、動画、音楽、静止画像のデータを相互利用するＤＬＮＡ仕様（機能）を有効にするモードである。ＤＬＮＡ仕様では、コンテンツを提供するサーバーであるＤＭＳ（digital media server）と、再生するクライアントであるＤＭＰ（digital media player）との間の接続条件が定められている。このＤＬＮＡ仕様に準拠した機器同士（ＤＭＳとＤＭＰ）であれば、機器間をネットワーク上で接続するだけで相互接続してコンテンツの共用が可能となる。ＤＬＮＡモードが有効のときには、伝送規格はイーサネット(R)又はIEEE802.11無線ＬＡＮ、通信プロトコルはＴＣＰ／ＩＰ、制御メッセージの交換やファイル転送はＨＴＴＰ（hypertext transfer protocol）を用いる。また、動画はＭＰＥＧ２に対応しており、静止画はＪＰＥＧに対応している。さらに、ＤＬＮＡモードが有効のときには、ＵＰｎＰ（universal plug and play）機能により、ＤＭＳやＤＭＰにＩＰアドレスを割り当てるようになっている。
【００３２】
一方、リモート制御機能の許可／非許可の設定を行う場合は、図２に示す設定メニューにおいて「ＣＥＣ制御」の設定項目を選択する。図２に示すように、「ＣＥＣ制御」の設定項目には、「許可」と「非許可」の２つの選択肢が用意されている。そして、リモート制御機能を有効にする場合は、「ＣＥＣ制御」の設定項目で図２に示すように「許可」を選択し、リモート制御機能を無効にする場合は「非許可」を選択する。選択を終えると、決定スイッチ２５を押下して、その設定内容を確定する。
【００３３】
「ＣＥＣ制御」が「許可」の場合はリモート制御機能が有効になり、「ＣＥＣ制御」が「非許可」の場合はリモート制御機能が無効になる。ＨＤＭＩ接続時に高解像度画像出力機能が有効であって電子カメラ１２からテレビ装置１３へ高解像度画像信号を伝送する場合、リモート制御機能の有効／無効の設定が参照される。リモート制御機能が有効の場合は、電子カメラ１２側からＨＤＭＩ経由でテレビ装置１３を制御するリモート制御（例えば入力切換制御）を行い、一方、リモート制御機能が無効の場合は、電子カメラ１２側からテレビ装置１３を制御するリモート制御を行わない。なお、電子カメラ１２側でテレビ装置１３をリモート制御するためには、電子カメラ１２とテレビ装置とが前述のとおりＣＥＣサポートされている必要がある。
【００３４】
次に、本実施形態の電子カメラ１２の電気的構成を説明する。図３は電子カメラの電気的構成を示すブロック図である。図３に示すように、電子カメラ１２は、画像処理をはじめとする各種処理を統括的に行う制御手段としてのメインＭＣＵ３０と、主として撮影制御などを司るサブＭＣＵ３１とを備えている。これらメインＭＣＵ３０とサブＭＣＵ３１はバスを介した相互通信が可能になっている。
【００３５】
このメインＭＣＵ３０には、ＲＡＭ３２（例えばＤＲＡＭ）、フラッシュメモリ３３、ネットワーク通信手段としてのネットワークＩＣ３４、画像出力手段としての高解像度出力トランスミッタ３５、内蔵表示装置２０などが接続されている。フラッシュメモリ３３には、メインＭＣＵ３０及びサブＭＣＵ３１が実行するための各種の制御プログラムが記憶されている他、図２における設定メニューで操作部２２を操作して選択設定されたＤＬＮＡモードの設定情報およびＣＥＣ制御の設定情報が記憶される。なお、本実施形態では、ＤＬＮＡモードの設定操作を行うための操作部２２と、操作部２２により設定されたＤＬＮＡモードの設定情報をフラッシュメモリ３３に記憶させるメインＭＣＵ３０と、その設定情報が記憶されるフラッシュメモリ３３とにより、設定手段が構成される。
【００３６】
ネットワークＩＣ３４と高解像度出力トランスミッタ３５は、共通のＨＤＭＩコネクタ２３に接続されている。すなわち、ネットワークＩＣ３４と高解像度出力トランスミッタ３５は、１本のＨＤＭＩケーブル１４が接続される１つのＨＤＭＩコネクタ２３を共有している。メインＭＣＵ３０は、ＨＤＭＩコネクタ２３に接続されたＨＤＭＩケーブル１４を介してテレビ装置１３などの外部機器が接続されたことを検出する。外部機器が接続されたことを検出すると、メインＭＣＵ３０はフラッシュメモリ３３に記憶された設定情報を調べ、ＤＬＮＡモードが設定されていると（ネットワーク接続機能が有効であると）、ネットワークＩＣ３４にネットワーク接続を行わせる。一方、ＤＬＮＡモードが非設定であれば（高解像度画像出力機能が有効であれば）、メインＭＣＵ３０は、そのとき内蔵表示装置２０に表示させるべき画像の画像データを基に、出力先のテレビ装置１３に対応する高解像度の画像信号（ビデオストリーム）を生成し、高解像度出力トランスミッタ３５にその高解像度の画像信号を出力する。高解像度出力トランスミッタ３５は、メインＭＣＵ３０からの高解像度の画像信号をＨＤＭＩコネクタ２３に接続されたＨＤＭＩケーブル１４を介して接続先機器（テレビ装置１３）へ伝送する。なお、メインＭＣＵ３０がネットワークＩＣ３４に行わせるネットワーク接続、高解像度出力トランスミッタ３５に行わせる高解像度画像出力、及びＣＥＣ制御についての詳細は後述する。
【００３７】
また、メインＭＣＵ３０には、タイミングジェネレータ３６（ＴＧ）、信号処理回路３７及びカードスロット３８が接続されている。タイミングジェネレータ３６及び信号処理回路３７は、カメラ本体１７内に設けられた撮像素子３９に接続されている。この撮像素子３９は、レンズユニット内の光学系及び光学ローパスフィルタ４０を通った被写体光を受光して被写体の撮像を行う。撮像素子３９はタイミングジェネレータ３６によりタイミング制御され、撮像素子３９から出力されたアナログ画素信号は信号処理回路３７を介してデジタル画素信号としてメインＭＣＵ３０に入力される。メインＭＣＵ３０は信号処理回路３７から入力したデジタル画像信号に所定の画像処理を施して画像データを生成し、必要に応じて所定圧縮方式で圧縮処理を施した後、その圧縮処理後の画像データを、カードスロット３８に挿着された蓄積手段としてのメモリカード４１に記憶するようになっている。
【００３８】
一方、サブＭＣＵ３１には、光学ファインダ内表示部４２、レリーズボタン１８、操作部２２（電源スイッチ１９及び選択スイッチ２１等を含む）及び電源回路４３が接続されている。電源回路４３はバッテリ４４（二次電池）と接続されている。サブＭＣＵ３１は、電源スイッチ１９の操作位置に応じたOFF／ON信号に基づき電源回路４３を制御して電子カメラ１２の電源のオン・オフを切り換える。電源オン状態では、電源回路４３はサブＭＣＵ３１の指令により駆動され、バッテリ４４の電源電圧を複数種の所定電圧に変圧して、電子カメラ１２内の各所に必要な電圧を供給するようになっている。
【００３９】
また、サブＭＣＵ３１には、姿勢検出部４５、ＡＦ制御装置４６、ＡＥ制御装置４７及びシャッタ制御装置４８が接続されている。姿勢検出部４５は、例えばジャイロセンサにより構成され、電子カメラ１２の姿勢を検出する。サブＭＣＵ３１は、操作部２２により姿勢表示モードが選択されると、姿勢検出部４５の姿勢検出結果（例えば電子カメラの姿勢角）をインディケータ表示形式で内蔵表示装置２０のモニタ２０ａに表示させる。
【００４０】
電子カメラ１２は、レンズユニット内の光学レンズ群及び絞りと、カメラ本体１７内のシャッタ等とにより構成される可変光学系を有している。サブＭＣＵ３１はＡＦ制御装置４６、ＡＥ制御装置４７及びシャッタ制御装置４８を制御して、ＡＦ制御（自動合焦制御）、ＡＥ制御（自動露出制御）及びシャッタ制御等を行う。サブＭＣＵ３１は、レリーズボタン１８が半押し操作されると、ＡＦ制御装置４６及びＡＥ制御装置４７を制御して、ＡＦ制御及びＡＥ制御を行わせる。このとき、メインＭＣＵ３０は、ＡＥセンサ４７ａからの光電変換信号の信号値に応じて所定の露出演算を行い、サブＭＣＵ３１はレリーズボタン１８が半押し操作されると、その露出演算結果に基づいてＡＥ制御装置４７を制御することで絞りの開度を調整する。そして、サブＭＣＵ３１はレリーズボタン１８が全押し操作されると、シャッタ制御装置４８を制御してシャッタを露出演算結果から決まるシャッタスピードで開閉動作させる。
【００４１】
詳しくは、ＡＦ制御装置４６は、ＡＦセンサ４６ａとＡＦ駆動部４６ｂとを備えている。サブＭＣＵ３１は、ＡＦセンサ４６ａの検出結果から算出したデフォーカス量に応じた駆動方向かつ駆動量でＡＦ駆動部４６ｂを駆動させ、光学レンズ群のうちの可動レンズを駆動させてズーム倍率（焦点距離）の変更、及び合焦動作を行うことにより、ＡＦ制御を行う。
【００４２】
また、ＡＥ制御装置４７は、ＡＥセンサ４７ａと絞り駆動部４７ｂとを備えている。サブＭＣＵ３１はＡＥセンサ４７ａの検出結果に基づいて絞り駆動部４７ｂを駆動させて、絞り部の開口量を調整することにより、ＡＥ制御を行う。絞り駆動部４７ｂは、例えば絞り用モータにより構成され、画像データより検出された被写体の輝度を用いてサブＭＣＵ３１が所定の露出演算を行って決定した絞り値となるように駆動されて、絞りの開口径を調整する。
【００４３】
さらに、シャッタ制御装置４８は、ミラー制御機構４８ａとシャッタ制御機構４８ｂとを備えている。サブＭＣＵ３１は、レリーズボタン１８が全押し操作されると、シャッタ制御装置４８を制御して、ミラー制御機構４８ａ及びシャッタ制御機構４８ｂを動作させることにより、クイックリターンミラー及びシャッタ（例えばフォーカルプレーンシャッタ）を動作させて、シャッタ制御を行う。このとき、シャッタ制御機構４８ｂは、例えばシャッタ用モータを備え、サブＭＣＵ３１による露出演算で決定された露光時間となるシャッタスピードで駆動される。
【００４４】
なお、サブＭＣＵ３１は不図示のフラッシュの発光制御も行う。詳しくは、メインＭＣＵ３０は、測光素子で取得された環境光の色情報に基づいて必要な照明光の色温度を決定し、決定した色温度の照明光をフラッシュが発するようにサブＭＣＵ３１へ発光色制御信号を送信する。サブＭＣＵ３１は発光色制御信号に応じた発光量でフラッシュを発光動作させる。
【００４５】
そして、このような電子カメラ１２の撮像動作により、被写体からの光束が可変光学系等を通過した被写体光はレンズユニットの像空間側において撮像素子３９の撮像面に結像される。撮像素子３９は、例えばＣＭＯＳ（Complementary Metal Oxide Semiconductor）イメージセンサ、又はＣＣＤ（Charge Coupled Device）イメージセンサからなり、その撮像面に結像した被写体像に対応した信号電荷を蓄積し、その蓄積した信号電荷を画素信号と呼ばれるアナログ信号として出力する。
【００４６】
撮像素子３９から出力された画素信号は、信号処理回路３７を介してメインＭＣＵ３０に入力される。信号処理回路３７はＡＦＥ（Analog Front End）部及びＡ／Ｄ変換器を有し、ＡＦＥ部が撮像素子３９からの画素信号を所定のタイミングでサンプリング（相関二重サンプリング）して、例えばそのとき設定されているＩＳＯ感度に基づく所定の信号レベルに増幅させる。Ａ／Ｄ変換器は、ＡＦＥ部から出力された増幅後のアナログ画素信号をデジタル画素信号に変換し、変換後のデジタル画素信号をメインＭＣＵ３０内へ出力する。
【００４７】
メインＭＣＵ３０は、所定の画像処理を行うためのＤＳＰ５１、ＣＥＣ部５２及び表示出力部５３を内蔵している。ＤＳＰ５１は、信号処理回路３７から入力したデジタル画素信号に対して、色補間処理、階調補正、ホワイトバランス処理及び輪郭補償等の画像処理を施すことにより所定の画像データを生成する。このＤＳＰ５１において生成された画像データは、バッファメモリとして機能するＲＡＭ３２に一時記憶される。
【００４８】
ＤＳＰ５１は、その後、ＲＡＭ３２から画像データを読出して、例えばＪＰＥＧ方式でデータ圧縮処理を行い、圧縮処理後の画像データをメモリカード４１に記憶する。また、ＤＳＰ５１は、メモリカード４１から画像データを読出して伸張処理を施した後の画像データをＲＡＭ３２に記憶させる。表示出力部５３はそのＲＡＭ３２の伸張処理後の画像データを基に所定解像度の画像信号を生成して内蔵表示装置２０又は高解像度出力トランスミッタ３５に選択的に出力する。画像信号がＬＣＤ駆動回路（図示省略）を介して内蔵表示装置２０へ出力されたときには画像信号に基づく画像がそのモニタ２０ａに表示される。
【００４９】
メインＭＣＵ３０はＨＤＭＩコネクタ２３に接続されたＨＤＭＩケーブル１４を介してテレビ装置１３の接続を検出すると、フラッシュメモリ３３に記憶されたＤＬＮＡモードの設定内容を調べ、ＤＬＮＡモードの設定／非設定を判断し、ネットワーク接続と高解像度画像出力とのうち有効に設定された一方を選択実行する。すなわち、メインＭＣＵ３０は、ＤＬＮＡモードが「設定」であればネットワークＩＣ３４にネットワーク接続処理を実行させ、一方、ＤＬＮＡモードが「非設定」であれば高解像度の画像出力を生成して高解像度出力トランスミッタ３５に出力する。
【００５０】
ネットワークＩＣ３４は、ネットワーク通信制御を司るＩＣであり、ＬＡＮ的なネットワーク接続とネットワーク通信の機能を有する。ネットワークＩＣ３４は、メインＭＣＵ３０からネットワーク接続処理の指示を受け付けると、テレビ装置１３にＨＤＭＩ接続された各機器によってテレビ装置１３を一種のハブとして構築されたホーム・ネットワークに接続するネットワーク接続処理を所定の通信プロトコルに従って行うようになっている。
【００５１】
表示出力部５３は、図３に示すように、内蔵表示装置２０及び高解像度出力トランスミッタ３５に接続されている。表示出力部５３は、内蔵表示装置２０及び高解像度出力トランスミッタ３５とのうち一方を画像信号の出力先として切り換えるスイッチング機能と、メインＭＣＵ３０から与えられた画像データを基にその出力先に応じた所定解像度の画像信号を生成する画像信号生成機能とを備えている。詳しくは、表示出力部５３は、ＨＤＭＩ非接続の通常時、及びＨＤＭＩ接続時にＤＬＮＡモードが「設定」の場合、そのとき電子カメラ１２のモニタ２０ａへの画像の表示に使用している画像データから、内蔵表示装置２０に対応する低解像度の画像信号を生成して内蔵表示装置２０に出力する。このため、ネットワークＩＣ３４がネットワーク接続処理を行うときには、表示出力部５３は高解像度の画像信号を高解像度出力トランスミッタ３５へ出力することはない。
【００５２】
例えば、テレビ装置１３にＨＤＭＩ接続されたゲーム機器又はパーソナルコンピュータ（ＰＣ）の映像（ゲーム映像又はインターネット上のコンテンツ映像等）が表示された状態で、ゲーム機やＰＣに電子カメラ１２の画像データをダウンロードするために、電子カメラ１２をテレビ装置１３にＨＤＭＩ接続する使い方が可能である。このようにネットワーク接続を意図して電子カメラ１２をテレビ装置１３へＨＤＭＩ接続するときには、予め電子カメラ１２にＤＬＮＡモードを設定しておくことにより、そのＨＤＭＩ接続時にテレビ装置１３の表示部１５の映像が電子カメラ１２側の画像に切り換わることを回避できるようになっている。
【００５３】
また、表示出力部５３は、ＨＤＭＩ接続時にＤＬＮＡモードが「非設定」であった場合、そのとき電子カメラ１２のモニタ２０ａへの画像の表示に使用している画像データから、テレビ装置１３に対応する高解像度の画像信号を生成して高解像度出力トランスミッタ３５へ出力する。ここで、ＨＤＭＩ対応のテレビ装置１３はＥＤＩＤ（Extended Display Identification Data）と呼ばれる表示部１５の表示条件を既定するデータを保持している。そして、高解像度出力トランスミッタ３５へ出力すべき画像信号の解像度は、メインＭＣＵ３０がテレビ装置１３からＨＤＭＩケーブル１４を介した通信で取得したＥＤＩＤ中の解像度情報に基づいて決定する。
【００５４】
また、ＣＥＣ部５２は、コマンドライン（制御線）を介してＨＤＭＩコネクタ２３に接続されている。メインＭＣＵ３０はテレビ装置１３とのＨＤＭＩ接続時に、ＤＬＮＡモードが非設定（つまり高解像度画像出力が有効の設定）であると、フラッシュメモリ３３に記憶されたＣＥＣ制御の設定情報を調べる。その設定情報がＣＥＣ制御の「許可」であれば、ＣＥＣ部５２は、ＨＤＭＩケーブル１４を通じてテレビ装置１３のコントローラにアクセスしてＣＥＣのサポートがなされているか否かを尋ねる。そして、ＣＥＣのサポートがなされている旨の応答を得ると、ＣＥＣ許可条件が成立しＣＥＣサポートがなされていることになる。この場合、ＣＥＣ部５２は、テレビ装置１３のコントローラに制御信号を送り、表示部１５に表示させるべき画像の画像信号が電子カメラ１２からの画像信号となるようにテレビ装置１３側の入力切換えをリモート制御で行うようになっている。
【００５５】
電子カメラ１２内の図３に示すフラッシュメモリ３３には、図４にフローチャートで示すＨＤＭＩ制御ルーチンのプログラムが記憶されている。電子カメラ１２内のメインＭＣＵ３０は、電子カメラ１２の電源オン中に所定時間毎にこのプログラムを実行する。以下、ＨＤＭＩ制御について図４のフローチャートに従って説明する。
【００５６】
まずステップＳ１０では、ＨＤＭＩケーブル１４の接続を検出したか否かを判断する。ここで、ＨＤＭＩケーブル１４の接続を検出したとは、ＨＤＭＩコネクタ２３に接続されたＨＤＭＩケーブル１４を通じて外部機器（テレビ装置１３）との接続を検出したことを指す。この外部機器との接続の検出は、接続先の外部機器からＨＤＭＩケーブル１４のホットプラグ用の信号線を介して所定電圧（例えば５Ｖ）が入力されているかどうかで判断する。ＨＤＭＩケーブル１４の接続を検出すればステップＳ２０に進み、一方、ＨＤＭＩケーブル１４の接続が検出されなければ、ステップＳ９０に進む。
【００５７】
ステップＳ２０では、ネットワーク接続可能であるか否かを判断する。このネットワーク接続可能であるか否かの判断は、メインＭＣＵ３０が、ネットワークＩＣ３４に問い合わせて、ＨＤＭＩコネクタ２３に接続されたＨＤＭＩケーブル１４を通じて相手側の機器（本例ではテレビ装置１３）からリンクパルスを規定回数以上受信できてネゴシエーションが確立されたことをもって判断する。リンクパルスを規定回数以上受信できればネットワーク接続可能と判断し、リンクパルスを規定回数以上受信できなければネットワーク接続不能と判断する。この判断の結果、ネットワーク接続可能である場合はステップＳ３０に進み、ネットワーク接続不能である場合はステップＳ４０に進む。
【００５８】
ステップＳ３０では、ＤＬＮＡモードであるか否かを判断する。メインＭＣＵ３０はフラッシュメモリ３３に記憶されたＤＬＮＡモードの設定情報を調べ、ＤＬＮＡモードが「設定」であればＤＬＮＡモードであると判断し、ＤＬＮＡモードが「非設定」であればＤＬＮＡモードではないと判断する。この判断の結果、ＤＬＮＡモードでない場合はステップＳ４０に進み、ＤＬＮＡモードである場合はステップＳ７０に進む。
【００５９】
例えば電子カメラ１２をメディアサーバとして機能させるためにネットワーク接続を意図して電子カメラ１２をテレビ装置１３にＨＤＭＩ接続するユーザーは、予め図２の設定メニューでＤＬＮＡモードを「設定」とし、ＤＬＮＡモードに設定しているので、この場合はステップＳ７０に進むことになる。一方、テレビ装置１３の表示部１５に電子カメラ１２の画像を表示させることを意図して電子カメラ１２をテレビ装置１３にＨＤＭＩ接続するユーザーは、予め図２の設定メニューでＤＬＮＡモードを「非設定」とし、ＤＬＮＡモードに設定していないので、この場合はステップＳ４０に進むことになる。なお、本実施形態では、ネットワーク接続可能であり（Ｓ２０で肯定判定）かつＤＬＮＡモードである（Ｓ３０で肯定判定）ことをもって、接続許可条件が成立することになる。
【００６０】
ステップＳ４０では、ＨＤＭＩへ画像信号（ビデオストリーム）を出力する。このとき、画像信号に加え音声信号（オーディオストリーム）もあれば一緒に出力する。この出力処理は、メインＭＣＵ３０の表示出力部５３が行う。詳しくは、ＨＤＭＩ対応のテレビ装置１３が保持しているＥＤＩＤには、テレビ装置が表示部１５に表示可能な表示条件情報（例えば1080i，720p，480p，480iなどの映像信号形式（画素数、アスペクト比、走査線本数、フレーム周波数、走査方式などの特定が可能））が含まれている。メインＭＣＵ３０は、ＨＤＭＩケーブル１４を通じた通信でテレビ装置１３からＥＤＩＤを取得し、このＥＤＩＤからテレビ装置１３の解像度情報を読み取る。そして、表示出力部５３は、それまで内蔵表示装置２０のモニタ２０ａへ画像を表示すべくメインＭＣＵ３０（例えばＤＳＰ５１）から与えられていた画像データを基に、テレビ装置１３の解像度情報に応じた高解像度の画像信号を生成すると共に、そのスイッチング機能により出力先を高解像度出力トランスミッタ３５へ切り換える。その結果、表示出力部５３が生成した高解像度の画像信号は高解像度出力トランスミッタ３５へ出力される。高解像度出力トランスミッタ３５は表示出力部５３から入力した高解像度の画像信号（ビデオストリーム）をＨＤＭＩコネクタ２３に接続されたＨＤＭＩケーブル１４を通じてテレビ装置１３へ転送する。例えば動画像で音声信号もある場合、高解像度出力トランスミッタ３５は、画像信号と音声信号とを同期させてテレビ装置１３へ転送する。このＨＤＭＩへの画像信号出力により、内蔵表示装置２０への画像信号出力が停止されるため、この場合、モニタ２０ａの表示は消えることになる。
【００６１】
次のステップＳ５０では、ＣＥＣサポートされているか否かを判断する。すなわち、前述のＣＥＣ許可条件を満たすか否かを判断する。メインＭＣＵ３０は、フラッシュメモリ３３に記憶されたＣＥＣ制御の設定情報が「許可」であるか否かをまず確認し、「許可」であれば、次にテレビ装置１３にＣＥＣをサポートし、かつＣＥＣ制御を受ける許可が設定されているか否かを尋ねる。そして、メインＭＣＵ３０は、テレビ装置１３からＣＥＣをサポートしかつＣＥＣ制御を受ける許可が設定されている旨の応答を受信した場合、ＣＥＣサポートされていると判断する。
【００６２】
ＣＥＣサポートされていればステップＳ６０に進み、ＴＶ側入力切り換え処理を行う。すなわち、メインＭＣＵ３０のＣＥＣ部５２は、ＨＤＭＩコネクタ２３に接続されたＨＤＭＩケーブル１４を介してテレビ装置１３へ入力切り換えを行わせるための制御信号を送る。そして、その制御信号を受信したテレビ装置１３側のコントローラが制御信号に基づき、電子カメラ１２からの高解像度の画像信号の入力を選択するように入力部の切り換えを行う。この結果、テレビ装置１３の表示部１５には、電子カメラ１２から出力された高解像度の画像信号に基づく高解像度の画像が表示される。例えばテレビ装置１３の表示部１５には、電子カメラ１２側のメニュー画面や再生画像が高解像度で表示される。
【００６３】
一方、ＣＥＣサポートされていなければ（Ｓ５０で否定判定）、当該ルーチンを終了する。この場合、ユーザーがリモコン１６を手動操作することによって、ＴＶ側入力切り換えを行うことになる。このＴＶ側入力切り換え操作を行うと、電子カメラ１２から出力されたＨＤＭＩ信号に基づく高解像度の画像がテレビ装置１３の表示部１５に表示される。なお、ステップＳ４０のＨＤＭＩへの画像信号出力は、ＨＤＭＩ接続が遮断されたり、電子カメラ１２側の電源が切断（スリープモードを含む）されたりするまで継続される。
【００６４】
一方、ステップＳ３０でＤＬＮＡモードであった場合は、ステップＳ７０において、ネットワーク接続処理を行う。すなわち、メインＭＣＵ３０は、ネットワークＩＣ３４にネットワーク接続処理を指示する。この指示を受け付けたネットワークＩＣ３４は、例えばＵＰｎＰ機能によってネットワーク上のＩＰアドレスを割り当てると共に、規定の通信プロトコル（本例ではＴＣＰ／ＩＰ）に従って接続状態を確立する。ネットワーク接続がなされると、電子カメラ１２はネットワーク内のメディアプレイヤ（ＤＭＰ）機器（例えばゲーム機やＰＣ）からのコマンド待ちの状態となる。本例では、ネットワーク接続完了後、テレビ装置１３の表示部１５又は電子カメラ１２のモニタ２０ａに、重畳表示で「ネットワーク接続中」という文字を表示し、電子カメラ１２はコマンド待ち状態になる。そして、メディアサーバである電子カメラ１２は例えば読み出した画像データを、ネットワーク上のメディアプレイヤからの指示により転送する。例えば転送先のメディアプレイヤの画面にその転送された画像データに基づく動画又は静止画が再生される。この際のメディアプレイヤからの指示は、例えばユーザーがメディアプレイヤ側の操作系を操作して、コマ送り操作や画像読み出し操作などを行うと、その操作に基づくコマンドがメディアプレイヤから発行され、そのコマンドを受け付けた電子カメラ１２は、そのコマンドで指示された処理（コマ送り処理や画像読み出し処理など）を実行する。
【００６５】
ステップＳ８０では、ＣＥＣによる入力切換え制御を無効とする。すなわち、メインＭＣＵ３０は、このネットワーク接続時には、フラッシュメモリ３３に記憶されたＣＥＣ制御の設定情報によらず、ＣＥＣ部５２の入力切換え制御を無効にする。この結果、たとえＣＥＣ制御の設定情報が「許可」であっても、ＣＥＣ部５２は、リモート制御によるテレビ装置１３の入力切り換えは行わない。このため、ネットワーク接続を意図して電子カメラ１２をテレビ装置１３にＨＤＭＩ接続した際に、テレビ装置１３の表示部１５の画像が切り換わったり消えたりすることがない。
【００６６】
そして、次のステップＳ９０では、内蔵表示装置２０へ画像信号（もしあれば音声信号も）を出力する。詳しくは、表示出力部５３は、その出力先をそれまでの内蔵表示装置２０に維持し、ＤＳＰ５１から内蔵表示装置２０に画像を表示させるべく与えられた画像データを基に、内蔵表示装置２０の解像度に応じた低解像度の画像信号を生成して内蔵表示装置２０へ出力する。この結果、ネットワーク接続を意図して電子カメラ１２をテレビ装置１３にＨＤＭＩ接続した際は、電子カメラ１２のモニタ２０ａの画像は消えることなくそれまでどおり表示される。
【００６７】
なお、電子カメラ１２にネットワーク接続中の旨を表示する構成を採用した場合は、ネットワークＩＣ３４からネットワーク接続完了の旨の通知を受け付けたメインＭＣＵ３０は、ＤＳＰ５１に指示して画像データに「ネットワーク接続中」の文字の重畳表示を指示する。ＤＳＰ５１は表示出力部５３へ与える画像データに「ネットワーク接続中」の文字を重畳表示させる。一方、テレビ装置１３の表示部１５に「ネットワーク接続中」の文字を重畳表示させる構成を採用した場合は、ＣＥＣ部５２がテレビ装置１３のコントローラを制御して、表示部１５の画像上に「ネットワーク接続中」の文字を重畳表示させる。
【００６８】
以上詳述したようにこの実施形態によれば、以下の効果が得られる。
（１）電子カメラ１２は、ＨＤＭＩコネクタ２３を共用するネットワークＩＣ３４及び高解像度出力トランスミッタ３５を備えると共に、メインＭＣＵ３０がＨＤＭＩケーブル１４の接続を検出した際に、ネットワーク接続と高解像度画像出力とのうち有効にする一方を選択設定可能な設定手段を備える。そして、ＨＤＭＩケーブル１４の接続を検出すると、ネットワークＩＣ３４を有効とするＤＬＮＡモードであるか否かを調べ、ＤＬＮＡモードであれば、高解像度出力トランスミッタ３５の画像信号出力を禁止させたうえで、ネットワークＩＣ３４にネットワーク接続を行わせる構成とした。従って、ユーザーがネットワーク接続を意図して電子カメラ１２にＨＤＭＩケーブル１４を接続した際に、接続先のテレビ装置１３の表示部１５の表示内容が電子カメラ１２側の画像に切り換わることを防止できる。
【００６９】
（２）ＤＬＮＡモードでない場合（つまり高解像度画像出力が有効の場合）は、高解像度出力トランスミッタ３５に高解像度の画像信号の出力を行わせる。従って、電子カメラ１２側の画像をテレビ装置１３（外部機器）に表示させることを意図してＨＤＭＩコネクタ２３にＨＤＭＩケーブル１４を接続した場合は、テレビ装置１３の表示部１５に電子カメラ１２側の画像を表示させることができる。
【００７０】
（３）ネットワーク接続可能な状態にあり（Ｓ２０で肯定判定）、かつネットワークＩＣ３４を有効とするＤＬＮＡモード（Ｓ３０で肯定判定）である接続許可条件を満たすと判断した場合に、ネットワークＩＣ３４にネットワーク接続を行わせる。一方、接続許可条件を満たさない場合（Ｓ２０で否定判定又はＳ３０で否定判定の場合）は、ネットワークＩＣ３４にネットワーク接続を行わせない構成とした。従って、ネットワーク接続を行ってみて接続エラーになる頻度を低減できる。
【００７１】
（４）メインＭＣＵ３０は、ＨＤＭＩ接続されたテレビ装置１３（外部機器）をリモート制御可能なＣＥＣ部５２（遠隔制御部）を備える。高解像度出力トランスミッタ３５に高解像度画像信号出力を行わせる場合は、ＣＥＣ部５２が接続先のテレビ装置１３を制御してその表示部１５に高解像度の画像信号に基づく画像を表示させるべくテレビ装置１３の入力切換えを行う構成とした。このため、ユーザーは、テレビ装置１３側の入力切り換えを行うためのリモコン１６の操作を行う必要がない。
【００７２】
（５）メインＭＣＵ３０はネットワークＩＣ３４にネットワーク接続を行わせる場合、ＣＥＣ部５２による入力切換え制御を無効にし、テレビ装置１３の入力切り換えを行わせない構成とした。このため、ネットワーク接続時におけるテレビ装置１３への不要な入力切り換えを回避できる。
【００７３】
（６）表示出力部５３は、画像データを基に高解像度の画像信号を生成して高解像度出力トランスミッタ３５へ出力する機能と、画像データを基にこの高解像度の画像信号よりも低解像度の画像信号を生成して内蔵表示装置２０に出力する機能とを有する。メインＭＣＵ３０は、表示出力部５３により内蔵表示装置２０に低解像度の画像信号を出力させている状態の下で、ＨＤＭＩケーブル１４を介してテレビ装置１３の接続を検出して、ネットワークＩＣ３４にネットワーク接続を行わせた場合は、内蔵表示装置２０に低解像度の画像信号を出力させている状態を維持する。よって、ネットワーク接続を行った場合は、電子カメラ１２側の内蔵表示装置２０の表示が消えることなく維持できる。
【００７４】
前記実施形態は上記に限定されず、以下の態様に変更することもできる。
・図４においてＳ２０とＳ３０の各処理の順番を逆としてもよい。この場合、Ｓ２０でＤＬＮＡモードであれば、ネットワーク接続不可能（Ｓ３０で否定判定）の場合、内蔵表示装置２０への画像信号の出力を維持してモニタ２０ａにそれまで表示されていた画像を維持するか、ネットワーク接続不可能な旨をモニタ２０ａに表示するようにする。
【００７５】
・ネットワーク接続可能な状態にあるか否かを判定する判定処理（Ｓ２０）を無くしてもよい。例えばネットワーク接続処理を開始してから接続エラーであった場合に、その旨を電子カメラ１１内蔵表示装置（表示手段）に表示する構成でもよい。さらに、接続エラーの場合に、高解像度出力トランスミッタ３５（画像出力手段）に画像出力を行わせる構成としてもよい。
【００７６】
・前記実施形態では、高解像度画像出力とネットワーク接続とのうち有効にする一方を選択設定する構成として、ＤＬＮＡモードの設定／非設定を設定する構成を採用したが、その設定方法は適宜変更できる。例えば高解像度画像出力を行うモードを設定し、この高解像度画像出力モード（ＨＤＭＩ出力モード）の設定／非設定を設定する構成としもよい。
【００７７】
・ＣＥＣ部５２は、高解像度出力トランスミッタ３５が内蔵していてもよい。
・画像出力装置は、コンパクトカメラや一眼レフカメラなどの電子カメラに限定されない。例えばビデオカメラ、デジタルフォトフレーム、携帯電話、ＰＤＡなどでもよい。さらにＤＶＤやブルーレイ(R)等の画像再生装置、テレビジョンでもよい。もちろん、画像出力装置は、画像を表示可能な表示手段を有する装置に限定されず、画像出力機能を有する装置であれば足りる。例えば画像の出力機能を有するもののその画像の表示機能を有さない音楽再生装置であってもよい。但し、画像出力装置は、画像（映像）を表示可能な表示部を有することが好ましい。
【符号の説明】
【００７８】
１２…画像出力装置（画像再生装置）としての電子カメラ、１３…接続先機器（外部機器）（画像表示装置）としてのテレビ装置、１４…通信ケーブルとしてのＨＤＭＩケーブル、１５…表示部、１６…リモコン、１７…カメラ本体、１８…レリーズボタン、１９…電源スイッチ、２０…表示手段としての内蔵表示装置、２２…設定手段を構成する操作部、２３…コネクタとしてのＨＤＭＩコネクタ、３０…設定手段を構成するとともに制御手段としてのメインＭＣＵ、３１…サブＭＣＵ、３２…ＲＡＭ、３３…設定手段を構成するフラッシュメモリ、３４…ネットワーク通信手段としてのネットワークＩＣ、３５…画像出力手段としての高解像度出力トランスミッタ、３７…信号処理回路、３８…カードスロット、３９…撮像素子、４１…蓄積手段としてのメモリカード、５１…ＤＳＰ、５２…遠隔制御部としてのＣＥＣ部、５３…表示出力部。
【図１】
0005521418.tif 000002
【図２】
0005521418.tif 000003
【図３】
0005521418.tif 000004
【図４】
0005521418.tif 000005